(57)【要約】      （修正有）【課題】段積み可能であると共に収容物の視認性が高いように開封できる段ボール箱を形成できる段ボール箱用シートを提供する。【解決手段】一枚の段ボール紙からなり、対向する前壁６及び後壁７並びに対向する一対の側壁９を有する四角筒状部と、上記前壁の上縁から延出する前上側内フラップと、上記後壁の上縁から延出する後上側内フラップ１４と、上記一対の側壁の各上縁から延出する一対の上側外フラップとを備え、上記四角筒状部が、梱包状態から陳列状態に開封可能な開封用破断誘導部を有する段ボール箱用シートであって、上記開封用破断誘導部が、上記一対の側壁に設けられ、上記上側外フラップよりも後方側の上縁を始端とすると共に前縁を終端とする一対の側面破断誘導部位と、上記前壁に設けられ、上記一対の側面破断誘導部位の終端を始端及び終端とする前面破断誘導部位２３とを有する。【選択図】図３
0003185227.tif 000002
【実用新案登録請求の範囲】
【請求項１】
一枚の段ボール紙からなり、
対向する前壁及び後壁並びに対向する一対の側壁を有する四角筒状部と、
上記前壁の上縁から延出する前上側内フラップと、
上記後壁の上縁から延出する後上側内フラップと、
上記一対の側壁の各上縁から延出する一対の上側外フラップと
を備え、
上記四角筒状部が、梱包状態から陳列状態に開封可能な開封用破断誘導部を有する段ボール箱用シートであって、
上記開封用破断誘導部が、
上記一対の側壁に設けられ、上記上側外フラップよりも後方側の上縁を始端とすると共に前縁を終端とする一対の側面破断誘導部位と、
上記前壁に設けられ、上記一対の側面破断誘導部位の終端を始端及び終端とする前面破断誘導部位と
を有する段ボール箱用シート。
【請求項２】
上記後上側内フラップの内面に、上記後上側内フラップの側縁に平行な凹溝を有する請求項１に記載の段ボール箱用シート。
【請求項３】
上記後上側内フラップが、梱包状態で前後方向中心よりも後方を横断する折り曲げ容易線と、この折り曲げ容易線よりも自由端側の外面に塗料を積層した印刷層とを有する請求項１又は請求項２に記載の段ボール箱用シート。
【請求項４】
請求項１、請求項２又は請求項３に記載の段ボール箱用シートと、
上記側壁の前後長及び高さと略等しい長さ及び高さを有する仕切り板と
を含む梱包資材セット。
【請求項５】
請求項１、請求項２又は請求項３に記載の段ボール箱用シートを組み立ててなる段ボール箱と、
この段ボール箱の中に、上記側壁と平行に挿入され、上記側壁の前後長及び高さと略等しい長さ及び高さを有する仕切り板と、
上記仕切り板の両側に、上記仕切り板に沿って配列された複数の収容物と
を備える梱包体。
【考案の詳細な説明】
【技術分野】
【０００１】
本発明は、段ボール箱用シート、梱包資材セット及び梱包体に関する。
【背景技術】
【０００２】
収容物（商品）の陳列台としても使用できる商品輸送用の段ボール箱が種々提案されている。段ボール箱を開封して収容物を視認可能とした上で、開封した段ボール箱の上に他の段ボール箱を段積みしたいとの要望がある。収容物が強度を有する場合には、段ボール箱の上部をすべて切除してトレー状に開封し、その上に他のトレー状に開封した段ボール箱を積み重ねて収容物によって支持させられる。しかしながら、収容物に強度がない場合には、開封した段ボール箱によって他の段ボール箱を支持できなければならない。
【０００３】
特開平１１−２９２０６４号公報には、前壁の上縁から延出する外フラップを前壁の上部と一体に切除すると共に、後壁の上縁から延出する外フラップを後壁の上部と一体に切除して開封でき、両側の側壁に接続した仕切り壁によって両側の内フラップを支持することで、内フラップの上に他の箱を段積み可能な段ボール箱が記載されている。しかしながら、この段ボール箱では側面が開放されないため、収容物の視認性が十分ではない。
【先行技術文献】
【特許文献】
【０００４】
【特許文献１】特開平１１−２９２０６４号公報
【考案の概要】
【考案が解決しようとする課題】
【０００５】
そこで、本考案は、段積み可能であると共に収容物の視認性が高いように開封できる段ボール箱を形成できる段ボール箱用シートを提供することを課題とする。また、本考案は、段積み可能であると共に収容物の視認性が高いように開封できる梱包体を形成するための梱包資材セット及びそのような梱包体を提供することを課題とする。
【課題を解決するための手段】
【０００６】
上記課題を解決するためになされた考案は、
一枚の段ボール紙からなり、
対向する前壁及び後壁並びに対向する一対の側壁を有する四角筒状部と、
上記前壁の上縁から延出する前上側内フラップと、
上記後壁の上縁から延出する後上側内フラップと、
上記一対の側壁の各上縁から延出する一対の上側外フラップと
を備え、
上記四角筒状部が、梱包状態から陳列状態に開封可能な開封用破断誘導部を有する段ボール箱用シートであって、
上記開封用破断誘導部が、
上記一対の側壁に設けられ、上記上側外フラップよりも後方側の上縁を始端とすると共に前縁を終端とする一対の側面破断誘導部位と、
上記前壁に設けられ、上記一対の側面破断誘導部位の終端を始端及び終端とする前面破断誘導部位と
を有する。
【０００７】
当該段ボール箱用シートは、前壁及び後壁の上縁に内フラップを延設した構成としたことによって、側壁と平行に配置される仕切り板と一体となって後壁及び後上側内フラップが段積みの際の支持構造となり得る一方、視認性を阻害しない後壁及び後上側内フラップを残し、前壁及び両側壁の各上部と共に前上側内フラップ及び両上側外フラップを除去して開封するような開封用破断誘導部を配設している。このような構成によって、当該段ボール箱用シート組み立てた段ボール箱は、開封時に内部の収容物の視認性が高い。
【０００８】
当該段ボール箱用シートは、上記後上側内フラップの内面に、上記後上側内フラップの側縁に平行な凹溝を有するとよい。厚みが小さく変形しにくい凹溝が仕切り板の上縁に載置されることにより、後上側内フラップひいてはその上に段積みした段ボール箱が安定する。
【０００９】
当該段ボール箱用シートは、上記後上側内フラップが、梱包状態で前後方向中心よりも後方を横断する折り曲げ容易線と、この折り曲げ容易線よりも自由端側の外面に塗料を積層した印刷層とを有するとよい。後上側内フラップを起立させて折り曲げ容易線で１８０度折り返すと、印刷層が正面を向くと共に、後上側内フラップの自由端が後壁の上縁より下方に位置して切り板によって係止され得る。つまり、当該段ボール箱用シートを組み立てた段ボール箱は、開封後に印刷部をディスプレイ又はＰＯＰとして利用できる。
【００１０】
また、上記課題を解決するためになされた本考案に係る梱包資材セットは、当該段ボール箱用シートと、上記側壁の前後長及び高さと略等しい長さ及び高さを有する仕切り板とを備える。当該梱包資材セットは、開封時に収容物の視認性が高い段ボール箱用シートと、当該段ボール箱用シートの後上側内フラップと共働して段積みを可能にする仕切り板を備えるので、当該梱包資材セットを用いた梱包体は、開封後に段積みが可能であると共に収容物の視認性が高い。
【００１１】
さらに、上記課題を解決するためになされた本考案に係る梱包体は、当該段ボール箱用シートと、この段ボール箱の中に、上記側壁と平行に挿入され、上記側壁の前後長及び高さと略等しい長さ及び高さを有する仕切り板と、上記仕切り板の両側に、上記仕切り板に沿って配列された複数の収容物と備える。当該梱包体は、仕切り板が両側の収容物によって直立状態に支持されるので、開封後にも段積みできると共に収容物の視認性が高い。
【考案の効果】
【００１２】
以上説明したように、当該段ボール箱用シート又は当該梱包資材セットを使用した当該梱包体は、前壁及び両側壁の各上部と共に前上側内フラップ及び両上側外フラップを除去して開封するので、開封状態において視認性が高く、側壁と平行に配置される仕切り板と後壁及び後上側内フラップが他の梱包体を支持するので段積み可能である。
【図面の簡単な説明】
【００１３】
【図１】本発明に係る梱包体の斜視図である。
【図２】図１の梱包体用の梱包資材セットの平面図（展開図）である。
【図３】図１の梱包体の収容物を省略した開封状態を示す斜視図である。
【図４】図１の梱包体の図３とは異なる開封状態を示す斜視図である。
【図５】図１の梱包体を開封して段積みした状態を示す斜視図である。
【考案を実施するための形態】
【００１４】
以下、適宜図面を参照しつつ、本考案の実施の形態を詳説する。
【００１５】
図１の梱包体１は、図２の梱包資材セット２を組み立てて多数の収容物（商品）３を梱包したものである。梱包資材セット２は、一枚の段ボール紙からなる段ボール箱用シート４と、一枚の段ボール紙からなる仕切り板５とを含む。図２において、太い実線は実際に切断されたエッジ又は切り込みを示し、細い実線は、型押しして折り曲げやすくした罫線を示す。なお、商品３は箱状に示されているが、自立性及び定型性を有しない袋体等であってもよい。
【００１６】
段ボール箱用シート４は、互いに対向する前壁６及び後壁７並びに互いに対向する一対の側壁８，９を有し、貼着片１０によって前壁６と側壁９とが接続される四角筒状部１１と、前壁６の上縁及び下縁から延出する前上側内フラップ１２及び前下側内フラップ１３と、後壁７の上縁及び下縁から延出する後上側内フラップ１４及び後下側内フラップ１５と、一対の側壁８の上縁及び下縁からそれぞれ延出する一対の上側外フラップ１６，１７及び一対の下側外フラップ１８，１９とを備える。
【００１７】
四角筒状部１１は、梱包体１を図３に示すような陳列状態（段ボール箱の形状が分かりやすいように収容物を省略し、梱包資材セット２のみ図示）に開封可能な開封用破断誘導部２０と、さらに図４に示すような陳列状態（収容物を省略）に後壁７の上部及び後上側内フラップ１４を切り離すための切離用破断誘導部２１とを有する。開封用破断誘導部２０は、一対の側壁８，９にそれぞれ設けられ、上側外フラップ１６，１７よりも後方側の上縁を始端とすると共に前縁を終端とする側面破断誘導部位２２と、前壁６に設けられ、一対の側面破断誘導部位２２の終端を始端及び終端とする前面破断誘導部位２３とを有する。
【００１８】
さらに詳しく説明すると、前面破断誘導部位２３は、前壁６の下縁と平行に設けられている。側面破断誘導部位２２は、側壁８，９の前縁から下縁に平行に後縁まで至る水平部分２４と上縁の後端から側壁８，９の後縁に沿って水平部分２４の後端まで至る鉛直部分２５とをそれぞれ有する。鉛直部分２５は、ミシン目状の切り込みによって形成されている。一方、切離用破断誘導部２１、水平部分２４及び前面破断誘導部位２３は、段ボール箱用シート４の内面（梱包時に内側になる面）に貼着されたカットテープ２６によって形成されており、このカットテープ２６は、側壁８，９の前後方向中央に設けた横向きに転倒したＨ字型状の破断開始部２７及び鉛直部分２５の切り込みによって、合計四か所で切断されている。
【００１９】
また、後上側内フラップ１４には、図１の梱包状態における前後方向中心よりも後壁７側を通って後壁７の上縁に平行に横断数折り曲げ容易線２８が形成されている。この折り曲げ容易線２８は、断続的な切り込みと、型押しされた罫線とによって形成されている。上側内フラップ１４は、折り曲げ容易線２８よりも自由端側（梱包状態前側）の外面に所望の文字や図柄を描くように塗料を積層した印刷層２９（二点鎖線でハッチングした部分）を有する。さらに、上側内フラップ１４は、梱包状態における幅方向中央部（例えば幅５０ｍｍ）を前後方向全長に亘って型押しすることによって内面側を厚み方向に押し潰して形成した凹溝３０（一点鎖線でハッチングした部分）を有する。
【００２０】
仕切り板５は、側壁８，９の前後長及び高さと略等しい長さ及び高さを有する。具体的には、仕切り板５の寸法は、段ボール箱用シート４の厚みを考慮して、側壁８，９の寸法よりも僅かに小さい。このような寸法差は、ＪＩＳ  Ｚ１５０７等の規定に従ったものでよい。
【００２１】
梱包体１は、段ボール箱用シート４を組み立ててなる段ボール箱の中に、仕切り板５を側壁８，９と平行に挿入し、仕切り板５の両側に、それぞれ仕切り板５に沿って列をなすように複数の収容物３を配置し、粘着テープ３１によって封函したものである。
【００２２】
以上の構成からなる梱包体１は、開封用破断誘導部２０の破断開始部２７を把持して側方に引っ張ることにより、カットテープ２６により側面破断誘導部位２２の水平部分２４さらには前面破断誘導部位２３を切断できる。前壁６又は側壁８，９の切断部に指をかけて前壁６又は側壁８，９の上部を引き上げるようにすれば、側面破断誘導部位２２の鉛直部分２５を下側から上方に破断させられる。そして、粘着テープ３１の後壁７と両上側外フラップ１６，１７とを接続する部分を切断又は剥離すれば、前壁６の上部、側壁８，９の各上部、前上側内フラップ１２及び両上側外フラップ１６，１７を一体に梱包体１から取り外して図３に示す陳列状態に開封できる。
【００２３】
このように、陳列状態に開封した梱包体１は、平面視Ｔ字型に配置された後壁７及び仕切り板５が後上側内フラップ１４を下から支持している。この後上側内フラップ１４及び後上側内フラップ１４から前方に延出する仕切り板５の上縁に、別の梱包体１を載置できる。このとき、後上側内フラップ１４の裏面に設けた予め厚み方向に圧縮されている凹溝３０が仕切り板５の上縁に当接しているため、後上側内フラップ１４の上に載置した梱包体１の重みが加わっても後上側内フラップ１４はそれ以上大きく潰れない。このため、後上側内フラップ１４が安定している梱包体１は、容易に段積みできる。
【００２４】
図３の陳列状態に開封した複数の梱包体１において、さらに後上側内フラップ１４を引き起こし、この後上側内フラップ１４を折り曲げ容易線２８で折り返し、上側内フラップ１４の自由端を仕切り板５の後縁の上端後ろ側に係止させることで、印刷層２９が正面を向いて固定される（図５の上段の梱包体１参照）。これにより、印刷層２９は、収容物を広告するディスプレイ又はＰＯＰとしての機能を果たす。この印刷層２９は、梱包状態において両上側外フラップ１６，１７に覆われる上側内フラップ１４に設けられているため、梱包体１を輸送する際に汚れたり傷ついたりする危険性が低い。よって、印刷層２９には汚れを防止するコーティングをする必要がなく、安価な印刷で高い広告効果を発揮し得る。
【００２５】
図５に示すように、陳列状態に開封した複数の梱包体１を段積みした際に、最上段の梱包体１の上側内フラップ１４を折り立ててディスプレイ効果を持たせられる。つまり、最上段の梱包体１の収容物（商品）３がすべてなくなって、最上段の梱包体１が撤去されたとき、次段の梱包体１の上側内フラップ１４を折り立ててディスプレイ効果を持たせられる。
【００２６】
［利点］
上述のように、当該梱包体１は、前壁６の上部、側壁８，９の各上部、前上側内フラップ１２及び両上側外フラップ１６，１７を一体に切除して、正面、両側面、及び上面が大きく開放した陳列状態に開放できるため、収容物の視認性が高い。加えて、当該梱包体１は、後上側内フラップ１４及び切り板５が別の梱包体１を支持できるので安定して段積みできる。
【００２７】
［その他の実施形態］
今回開示された実施の形態はすべての点で例示であって制限的なものではないと考えられるべきである。本考案の範囲は、上記実施形態の構成に限定されるものではなく、特許請求の範囲によって示され、特許請求の範囲と均等の意味及び範囲内での全ての変更が含まれることが意図される。
【００２８】
例えば、当該梱包体は、互いに平行に配置される複数の仕切り板を備えてもよい。仕切り板は、少なくとも後上側内フラップを支持する部分が側壁と略同じ高さを有していればよく、収容物の視認性を向上させるために前側を低くしてもよい。
【００２９】
また、開封用破断誘導部の側面破断誘導部位は、側壁の上縁後端から斜めに延伸する部分と前縁から下縁に平行に延伸する部分とを有してもよく、側壁の上縁後端から湾曲又は階段状に前縁まで至ってもよい。開封用破断誘導部は、カットテープを使用するもの以外にも、互いに平行な二本のミシン目状の切り込みを有するもの等、公知の構成が適用できる。
【産業上の利用可能性】
【００３０】
以上の説明のように、本考案に係る段ボール箱用シート、梱包資材セット及び梱包体は、小売りされる商品の輸送及び陳列のための梱包体に好適である。
【符号の説明】
【００３１】
１  梱包体
２  梱包資材セット
３  収容物
４  段ボール箱用シート
５  仕切り板
６  前壁
７  後壁
８，９  側壁
１０  貼着片
１１  四角筒状部
１２  前上側内フラップ
１３  前下上側内フラップ
１４  後上側内フラップ
１５  後下側内フラップ
１６，１７  上側外フラップ
１８，１９  下側外フラップ
２０  開封用破断誘導部
２１  切離用破断誘導部
２２  側面破断誘導部位
２３  前面破断誘導部位
２４  水平部分
２５  鉛直部分
２６  カットテープ
２７  破断開始部
２８  折り曲げ容易線
２９  印刷層
３０  凹溝
３１  粘着テープ
【図１】
0003185227.tif 000003
【図２】
0003185227.tif 000004
【図３】
0003185227.tif 000005
【図４】
0003185227.tif 000006
【図５】
0003185227.tif 000007